(57)【要約】【課題】  キーワードが合致した検索対象物に関する説明情報が利用者に自動的に送信され、利用者が容易にその情報にアクセスすることができる解析データ検索システムおよび解析データ検索方法を提供する。【解決手段】  サーバ２は、照合部４０によりキーワードと一致する対象物の説明情報を対象物の説明情報とキーワードとを対応付けて記憶するデータベース６０から検索し、説明情報送信部５０によりアクセス先情報入手部２０のアクセス先情報に基づいて利用者に説明情報を送信する。【選択図】  図１
2005165866.tif 000002
【特許請求の範囲】
【請求項１】
対象物の説明情報とキーワードとを対応付けて記憶するデータベースと、
前記対象物を含む画像データを取得する取得手段と、
前記画像データを保有する利用者へのアクセス先情報を入手する入手手段と、
前記取得手段により取得された前記画像データを解析して前記対象物の前記キーワードを抽出する抽出手段と、
前記抽出手段により抽出される前記キーワードと一致する前記対象物の説明情報を前記データベースから検索する照合手段と、
を備えることを特徴とする解析データ検索システム。
【請求項２】
前記取得手段と、
前記入手手段と、
前記取得手段により取得された前記画像データをネットワークを介して送信する画像データ送信手段と、
前記アクセス先情報を前記ネットワークを介して送信するアクセス先情報送信手段と、
を有する端末装置と、
前記ネットワークを介して、前記端末装置から前記画像データを受信する画像データ受信手段と、
前記抽出手段と、
前記照合手段と、
前記照合手段により検索された前記対象物の説明情報を前記アクセス先情報に基づいて前記ネットワークを介して送信する説明情報送信手段と、
を有するサーバと、
を備えることを特徴とする請求項１記載の解析データ検索システム。
【請求項３】
対象物の説明情報とキーワードとを対応付けて記憶するデータベースと、
前記対象物を含む画像データと前記対象物の説明情報とを取得する取得手段と、
前記画像データと前記対象物の説明情報とを関連付ける前記キーワードを生成する生成手段と、
前記画像データと前記キーワードとを対応付けて記憶する記憶手段と、
前記データベースに前記対象物の説明情報と前記キーワードとを対応付けて登録する登録手段と、
前記記憶手段に記憶される前記キーワードと一致する前記対象物の説明情報を前記データベースから検索する照合手段と、
を備えることを特徴とする解析データ検索システム。
【請求項４】
前記記憶手段は、利用者ごとに前記画像データと前記キーワードとを対応付けて記憶することを特徴とする請求項３記載の解析データ検索システム。
【請求項５】
前記取得手段と、
前記取得手段により取得された前記画像データおよび前記対象物の説明情報をネットワークを介して送信するデータ送信手段と、
を有する端末装置と、
前記ネットワークを介して、前記端末装置から前記画像データおよび前記対象物の説明情報を受信するデータ受信手段と、
前記生成手段と、
前記記憶手段と、
前記登録手段と、
前記照合手段と、
前記照合手段により検索された前記対象物の説明情報を前記ネットワークを介して送信する説明情報送信手段と、
を有するサーバと、
を備えることを特徴とする請求項３または４記載の解析データ検索システム。
【請求項６】
さらに、前記端末装置は、
前記画像データを保有する利用者へのアクセス先情報を入手する入手手段と、
前記アクセス先情報を前記ネットワークを介して送信するアクセス先情報送信手段と、
を有し、
前記サーバは、
前記説明情報送信手段により、前記対象物の説明情報を前記アクセス先情報に基づいて前記ネットワークを介して送信することを特徴とする請求項５記載の解析データ検索システム。
【請求項７】
データベースに対象物の説明情報とキーワードとを対応付けて記憶するステップと、
取得手段により対象物を含む画像データを取得するステップと、
入手手段により前記画像データを保有する利用者へのアクセス先情報を入手するステップと、
抽出手段により前記取得手段で取得された前記画像データを解析して前記対象物の前記キーワードを抽出するステップと、
照合手段により前記抽出手段で抽出される前記キーワードと一致する前記対象物の説明情報を前記データベースから検索するステップと、
を有することを特徴とする解析データ検索方法。
【請求項８】
データベースに対象物の説明情報とキーワードとを対応付けて記憶するステップと、
取得手段により対象物を含む画像データと前記対象物の説明情報とを取得するステップと、
生成手段により前記画像データと前記対象物の説明情報とを関連付けるキーワードを生成するステップと、
記憶手段により前記画像データと前記キーワードとを対応付けて記憶するステップと、
登録手段により前記データベースに前記対象物の説明情報と前記キーワードとを対応付けて登録するステップと、
照合手段により前記記憶手段に記憶される前記キーワードと一致する対象物の説明情報を前記データベースから検索するステップと、
を有することを特徴とする解析データ検索方法。
【発明の詳細な説明】
【技術分野】
【０００１】
本発明は、画像データを解析し、その画像データに該当する説明内容の情報を利用者に提供する解析データ検索システムおよび解析データ検索方法に関する。
【背景技術】
【０００２】
従来、インターネットを利用して種々の情報検索を行うことができ、このような情報は民間企業により一般の利用者が利用可能なデータベースとして情報検索サービスの形態で提供されていた。そして、パーソナルコンピュータ等から情報検索システムを利用する際には、自らキーワードを設定して入力することが必要であった。
【０００３】
利用者が、携帯電話やデジタルカメラ等で撮影した画像に基づいて、その画像と関連する情報を入手する場合には、画像から把握可能なキーワードを設定することが必要であったが、画像と文章とはまったく相違するためキーワードを設定することが困難な場合も多かった。
【０００４】
ここで、利用者が適切なキーワードを設定することが困難な場合であっても、検索対象物に関するレコードと各々が選択されるための条件である特徴記述子とを対応付けて記憶したデータベースから、取得した検索対象物の画像に基づいて生成する特徴記述子に合致する検索対象物に関するレコードを検索することにより、検索対象物に関する情報を取得することができる情報検索システムに関する技術がある（例えば、特許文献１参照）。
【特許文献１】特開２００２−７４３２号公報
【発明の開示】
【発明が解決しようとする課題】
【０００５】
しかしながら、上述した従来例においては次のような問題点があった。
【０００６】
上記特許文献１に記載の従来例は、利用者が適切なキーワードを設定することが困難な場合において、検索対象物に関する情報を取得することを可能とすべく、検索のためのキーワードとなる特徴記述子を画像データから自動生成し、合致する検索対象物に関するレコードを取得するに過ぎなく、合致する検索対象物に関するレコードを利用者に自動的に送信し、利用者が容易にそのレコードにアクセスし、検索結果を把握することができないという問題点があった。
【０００７】
また、利用者が予め所定の画像とその画像と対応付けられた情報を登録しておき、後に、その登録されている画像を取得して、キーワードを用いてその登録されている画像と対応付けられた情報を検索することができないという問題点があった。
【０００８】
そこで、本発明は、対象物の説明情報とキーワードとを対応付けて記憶するデータベースと、対象物を含む画像データを取得する取得手段と、画像データを保有する利用者へのアクセス先情報を入手する入手手段と、取得手段により取得された画像データを解析して対象物のキーワードを抽出する抽出手段と、抽出手段により抽出されるキーワードと一致する対象物の説明情報をデータベースから検索する照合手段とを設けることにより、キーワードが合致した検索対象物に関する説明情報が利用者に自動的に送信され、利用者が容易にその情報にアクセスし、検索結果を把握することができ、利用者の利便性の向上が図られた解析データ検索システムおよび解析データ検索方法を提供することを目的とする。
【課題を解決するための手段】
【０００９】
請求項１記載の発明は、対象物の説明情報とキーワードとを対応付けて記憶するデータベースと、前記対象物を含む画像データを取得する取得手段と、前記画像データを保有する利用者へのアクセス先情報を入手する入手手段と、前記取得手段により取得された前記画像データを解析して前記対象物の前記キーワードを抽出する抽出手段と、前記抽出手段により抽出される前記キーワードと一致する前記対象物の説明情報を前記データベースから検索する照合手段と、を備えることを特徴とする解析データ検索システムである。
【００１０】
請求項２記載の発明は、請求項１記載の解析データ検索システムにおいて、前記取得手段と、前記入手手段と、前記取得手段により取得された前記画像データをネットワークを介して送信する画像データ送信手段と、前記アクセス先情報を前記ネットワークを介して送信するアクセス先情報送信手段と、を有する端末装置と、前記ネットワークを介して、前記端末装置から前記画像データを受信する画像データ受信手段と、前記抽出手段と、前記照合手段と、前記照合手段により検索された前記対象物の説明情報を前記アクセス先情報に基づいて前記ネットワークを介して送信する説明情報送信手段と、を有するサーバと、を備える。
【００１１】
請求項３記載の発明は、対象物の説明情報とキーワードとを対応付けて記憶するデータベースと、前記対象物を含む画像データと前記対象物の説明情報とを取得する取得手段と、前記画像データと前記対象物の説明情報とを関連付ける前記キーワードを生成する生成手段と、前記画像データと前記キーワードとを対応付けて記憶する記憶手段と、前記データベースに前記対象物の説明情報と前記キーワードとを対応付けて登録する登録手段と、前記記憶手段に記憶される前記キーワードと一致する前記対象物の説明情報を前記データベースから検索する照合手段と、を備えることを特徴とする解析データ検索システムである。
【００１２】
請求項４記載の発明は、請求項３記載の解析データ検索システムにおいて、前記記憶手段は、利用者ごとに前記画像データと前記キーワードとを対応付けて記憶する。
【００１３】
請求項５記載の発明は、請求項３または４記載の解析データ検索システムにおいて、前記取得手段と、前記取得手段により取得された前記画像データおよび前記対象物の説明情報をネットワークを介して送信するデータ送信手段と、を有する端末装置と、前記ネットワークを介して、前記端末装置から前記画像データおよび前記対象物の説明情報を受信するデータ受信手段と、前記生成手段と、前記記憶手段と、前記登録手段と、前記照合手段と、前記照合手段により検索された前記対象物の説明情報を前記ネットワークを介して送信する説明情報送信手段と、を有するサーバと、を備える。
【００１４】
請求項６記載の発明は、請求項５記載の解析データ検索システムにおいて、さらに、前記端末装置は、前記画像データを保有する利用者へのアクセス先情報を入手する入手手段と、前記アクセス先情報を前記ネットワークを介して送信するアクセス先情報送信手段と、を有し、前記サーバは、前記説明情報送信手段により、前記対象物の説明情報を前記アクセス先情報に基づいて前記ネットワークを介して送信する。
【００１５】
請求項７記載の発明は、データベースに対象物の説明情報とキーワードとを対応付けて記憶するステップと、取得手段により対象物を含む画像データを取得するステップと、入手手段により前記画像データを保有する利用者へのアクセス先情報を入手するステップと、抽出手段により前記取得手段で取得された前記画像データを解析して前記対象物の前記キーワードを抽出するステップと、照合手段により前記抽出手段で抽出される前記キーワードと一致する前記対象物の説明情報を前記データベースから検索するステップと、を有することを特徴とする解析データ検索方法である。
【００１６】
請求項８記載の発明は、データベースに対象物の説明情報とキーワードとを対応付けて記憶するステップと、取得手段により対象物を含む画像データと前記対象物の説明情報とを取得するステップと、生成手段により前記画像データと前記対象物の説明情報とを関連付けるキーワードを生成するステップと、記憶手段により前記画像データと前記キーワードとを対応付けて記憶するステップと、登録手段により前記データベースに前記対象物の説明情報と前記キーワードとを対応付けて登録するステップと、照合手段により前記記憶手段に記憶される前記キーワードと一致する対象物の説明情報を前記データベースから検索するステップと、を有することを特徴とする解析データ検索方法である。
【発明の効果】
【００１７】
本発明によれば、対象物の説明情報とキーワードとを対応付けて記憶するデータベースと、内容に関する説明情報を入手したい対象物を含む画像データを取得する取得手段と、画像データを保有する利用者へのアクセス先情報を入手する入手手段と、取得手段により取得された画像データを解析して対象物のキーワードを抽出する抽出手段と、抽出手段により抽出されるキーワードと一致する対象物の説明情報をデータベースから検索する照合手段と、を備えることにより、キーワードが合致した検索対象物に関する説明情報が利用者に自動的に送信され、利用者が容易にその情報にアクセスし、検索結果を把握することができ、利用者の利便性の向上が図られる。
【発明を実施するための最良の形態】
【００１８】
利用者が撮影した画像データの内容を説明した情報を取得する場合において、キーワードが合致した検索対象物に関する説明情報が利用者に自動的に送信され、利用者が容易にその情報にアクセスし、検索結果を把握することができ、利用者の利便性の向上が図られた解析データ検索システムを、対象物の説明情報とキーワードとを対応付けて記憶するデータベースと、対象物を含む画像データを取得する取得手段と、画像データを保有する利用者へのアクセス先情報を入手する入手手段と、取得手段により取得された画像データを解析して対象物のキーワードを抽出する抽出手段と、抽出手段により抽出されるキーワードと一致する対象物の説明情報をデータベースから検索する照合手段とを設けることにより実現した。
【実施例１】
【００１９】
本発明の第一の実施例の構成・動作を図を用いて説明する。
【００２０】
図１は、本実施形態における解析データ検索システムの構成を示す図である。図１を参照すると、本実施例は、端末装置１およびデータベース６０を備えるサーバ２がネットワーク１００を介して接続され、構成されている。ネットワークは有線でも無線であってもよく、例えば、インターネットまたはＬＡＮ（Local Area Network）等の任意のネットワークである。
【００２１】
端末装置１は、画像データを通信する機能を有する情報処理装置であり、例えば、パーソナルコンピュータまたは携帯電話等である。利用者の自宅等に設置されてもよい。また、電子メール機能を有しており、利用者毎のアクセス先情報を認識することができてもよい。アクセス先情報とは、例えば、電子メールアドレス等である。
【００２２】
サーバ２は、画像データ取得部１０、アクセス先情報入手部２０、キーワード抽出部３０、照合部４０、説明情報送信部５０およびデータベース６０を備える情報処理装置である。民間情報提供サービス企業に設置されてもよい。
【００２３】
画像データ取得部１０は、端末装置１がネットワーク１００を介して送信する画像データを受信する機能を有している。電子メール機能を有していてもよい。
【００２４】
アクセス先情報入手部２０は、端末装置１が送信した画像データの送信元のアクセス先情報を取得する機能を備えている。また、アクセス先情報に基づいて利用者情報を生成する機能も有している。利用者情報とは、例えば、利用者名、利用者の電子メールアドレスまたはアクセス日時等である。
【００２５】
キーワード抽出部３０は、端末装置１から受信した画像データを解析して、画像に表示されている内容から利用者が要求する説明情報を検索するために適切なキーワードを抽出する機能を有している。例えば、画像が魚類の画像である場合には、その名称をキーワードとして抽出する。
【００２６】
照合部４０は、キーワード抽出部３０で抽出されたキーワードに基づいて、説明情報がキーワードと結び付けられ辞典形式で格納されているデータベース６０の検索を実行する機能を有している。
【００２７】
説明情報送信部５０は、照合部４０で検索したキーワードと一致する説明情報を受け取り、アクセス先情報入手部２０で生成した利用者情報に基づいてネットワーク１００を介して利用者に送信する機能を有している。
【００２８】
データベース６０は、画像の説明である文字情報としての説明情報および画像から抽出されるキーワードに対応するキーワードを説明情報とキーワードが結び付けられた辞典形式で格納している。例えば、画像が魚類の画像である場合には、その名称をキーワードとして、その名称の魚類の説明文を説明情報として格納している。
【００２９】
以上のように構成された実施形態における解析データ検索システムにおいてキーワードが合致した検索対象物に関する説明情報が利用者に自動的に送信される動作について図２のシーケンスチャートに基づいて説明する。
【００３０】
まず、端末装置１は、ネットワーク１００を介して画像データをサーバ２に送信する（ステップＡ１）。ここで、画像データは、端末装置１により読み取られたものであっても、ネットワークを介して外部から取得したものであっても、端末装置１が他の記憶媒体から読み取るものであってもいずれでもよい。
【００３１】
次に、サーバ２の画像データ取得部１０は、端末装置１からネットワーク１００を介して送信された画像データを受信する（ステップＡ２）。
【００３２】
サーバ２のアクセス先情報入手部２０は、端末装置１からネットワーク１００を介して送信された利用者のアクセス先情報を取得する（ステップＡ３）。例えば、利用者が電子メールに添付ファイルとして画像データファイルを添付して送信する場合において、その送信者欄に表示される電子メールアドレスをアクセス先情報として取得してもよい。そして、取得したアクセス先情報に基づいて利用者情報を生成する（ステップＡ４）。例えば、システムを利用する際に利用者名等を入力させることとし、サーバ２の利用者テーブルに利用者名とその利用者のアクセス先情報を結び付けて登録することとしてもよい。生成された利用者情報は、検索結果を利用者に返信する際に用いることができるようにサーバ２の説明情報送信部５０に転送される。
【００３３】
ステップＡ２で画像データを受信した画像データ取得部１０は、サーバ２のキーワード抽出部３０にその画像データを転送する（ステップＡ５）。
【００３４】
サーバ２のキーワード抽出部３０は、受け取った画像データを解析し、キーワードを抽出する（ステップＡ６、Ａ７）。解析手法としては、例えば、画像データから輪郭画像データを抽出し、正規化した後に、輪郭画像データベースに登録されている輪郭画像と比較し、同一または類似の輪郭画像データに関連付けられているキーワードを抽出するという手法がある。また、画像データからの輪郭画像データの抽出に際して、形状のみでなく色の面から、隣接するフレームで色の間の距離が許容範囲内であれば同一の物体構成領域に属するという判断が加味されてもよい。
【００３５】
キーワード抽出部３０で抽出されたキーワードは、サーバ２の照合部４０に転送される（ステップＡ８）。
【００３６】
サーバ２の照合部４０は、転送されたキーワードに基づいて、検索を実行する（ステップＡ９）。キーワード抽出部３０で抽出されたキーワードに基づいて、キーワード毎に説明文と対応付けた説明文テーブルを検索してそのキーワードと対応付けられる画像の説明文に関する説明情報を取得することであってもよい。また、複数のキーワードを上位概念から階層順に検索して検索結果を一覧表示する形式でもよい。キーワードは、全部一致の場合のみでなく、部分一致の場合も含む。なお、キーワードは、平仮名、片仮名、ローマ字、漢字の種別は問わなく相互に変換されて一致するか否かが判定されてもよい。
【００３７】
データベース６０は上記キーワードと一致するキーワードに対応付けられている説明情報をサーバ２の説明情報送信部５０に送信する（ステップＡ１０）。
【００３８】
サーバ２の説明情報送信部５０は、ステップ４で生成された利用者情報のうち利用者のアクセス先情報を用いて利用者の端末装置１に上記キーワードと一致するキーワードに対応付けられている説明情報を返信する（ステップＡ１１）。
【実施例２】
【００３９】
本発明の第二の実施例の構成・動作を以下に説明する。本実施例においては利用者が予め所定の画像とその画像と対応付けられた情報を登録しておき、後に、その登録されている画像を取得して、キーワードを用いてその登録されている画像と対応付けられた情報を検索する場合において第一の実施の形態と同様の解析データ検索機能を実現するものである。
【００４０】
第一の実施の形態における構成のうち、端末装置１は、画像データおよび文字情報をサーバ２に送信する機能を有している。文字情報とは、例えば、画像を説明する文章に関する情報をいう。
【００４１】
また、サーバ２の画像データ取得部１０は、画像データおよび文字情報を端末装置１から受信して、その画像データおよび文字情報からキーワードを生成する機能を有している。そして、サーバ２のキーワード抽出部３０は、画像データおよびキーワードを登録する機能を有しており、サーバ２の照合部４０は、文字情報およびキーワードを登録する機能を有している。なお、第一の実施の形態における構成要素の重複する機能の説明は省略する。
【００４２】
以上のように構成された実施形態における解析データ検索システムにおいて利用者が予め画像データ、文字情報およびキーワードを登録する動作について図３のシーケンスチャートに基づいて説明する。
【００４３】
まず、端末装置１は、ネットワーク１００を介して画像データおよび文字情報をサーバ２に送信する（ステップＢ１）。画像データおよび文字情報は、端末装置１により読み取られたものであっても、ネットワークを介して外部から取得したものであっても、端末装置１が他の記憶媒体から読み取るものであってもいずれでもよい。
【００４４】
次に、サーバ２の画像データ取得部１０は、端末装置１からネットワーク１００を介して送信された画像データおよび文字情報を受信する（ステップＢ２）。そして、その画像データと文字情報を関連付ける固有のキーワードを生成する（ステップＢ２）。例えば、画像データとして人物の顔写真のデータを、また文字情報としてその人物の氏名およびプロフィールを受信した場合において、キーワードとしてその人物の氏名を生成することとしてもよい。
【００４５】
サーバ２のアクセス先情報入手部２０は、端末装置１からネットワーク１００を介して送信された利用者のアクセス先情報を取得する（ステップＢ３）。例えば、利用者が電子メールに添付ファイルとして画像データファイルを添付して送信する場合において、その送信者欄に表示される電子メールアドレスをアクセス先情報として取得してもよい。そして、取得したアクセス先情報に基づいて利用者情報を生成する（ステップＢ４）。例えば、システムを利用する際に利用者名等を入力させることとし、サーバ２の利用者テーブルに利用者名とその利用者のアクセス先情報を結び付けて登録することとしてもよい。生成された利用者情報は、検索結果を利用者に返信する際に用いることができるようにサーバ２の説明情報送信部５０に転送される。この点は、第一の実施の形態と同様である。なお、利用者ごとの利用者情報を作成することにより、ステップＢ２で受信した画像データおよび文字情報とキーワードをその利用者情報と結び付けて予め登録しておくことができ、個人対応のデータベースを作成することができる。
【００４６】
ステップＢ２で画像データおよび文字情報を受信し、キーワードを生成した画像データ取得部１０は、サーバ２のキーワード抽出部３０にその画像データおよびキーワードを転送する（ステップＢ５）。
【００４７】
サーバ２のキーワード抽出部３０は、受け取った画像データおよびキーワードを結び付けて登録する（ステップＢ６）。画像データデータベースに画像データとキーワードを関連付けて登録することであってもよい。したがって、後に登録された画像データと同一の画像データが転送されてきた場合には、画像データからキーワードを解析することなく、その画像データと結び付けて登録されているキーワードを取得すればよい。
【００４８】
ステップＢ２で画像データおよび文字情報を受信し、キーワードを生成した画像データ取得部１０は、サーバ２の照合部４０にその文字情報およびキーワードを転送する（ステップＢ７）。
【００４９】
サーバ２の照合部４０は、受け取った文字情報およびキーワードを結び付けて登録する（ステップＢ８）。具体的には、データベース６０の文字情報テーブルに文字情報とキーワードを関連付けて登録することであってもよい（ステップＢ９）。したがって、後に登録された画像データと同一の画像データが転送されてきた場合において、キーワード抽出部３０で取得したその画像データと結び付けて登録されているキーワードに基づいて予め登録されている文字情報を取得することができる。
【００５０】
以上のように構成された実施形態における解析データ検索システムにおいてキーワードが合致した検索対象物に関する説明情報が利用者に自動的に送信される動作については、第一の実施の形態と同様である。
【００５１】
以上のように、本実施例によれば、第一の実施の形態では、予め所定の画像とその画像と対応付けられた情報を登録しておき、後に、その登録されている画像を取得して、キーワードを用いてその登録されている画像と対応付けられた情報を検索することができなかったが、利用者は文字情報では表現が難しい画像データとその文字情報を予め登録することができ、必要な時に画像データを送付することにより、その画像データに関連付けられた文字情報を受け取ることが可能となり、利用者の利便性が向上する。
【００５２】
また、利用者ごとに予め登録する画像データおよび文字情報を区別することができるため、個人の必要に応じた個別対応のデータベースを作成することができるのでさらに利用者の利便性の向上が図られている。
【００５３】
なお、上述する実施の形態は、本発明の好適な実施の形態であり、本発明の要旨を逸脱しない範囲内において種々変更実施が可能である。
【産業上の利用可能性】
【００５４】
本発明は、電子アルバムにおける解析データ検索システムにも適用できる。
【図面の簡単な説明】
【００５５】
【図１】本発明の実施形態におけるシステム構成を示す図である。
【図２】第一の実施形態における説明情報を利用者に自動的に送信する処理手順を示すシーケンスチャートである。
【図３】第二の実施形態における予め画像データおよび文字情報を登録する処理手順を示すシーケンスチャートである。
【符号の説明】
【００５６】
１    端末装置
２    サーバ
１０    画像データ取得部
２０    アクセス先情報入手部
３０    キーワード抽出部
４０    照合部
５０    説明情報送信部
６０    データベース
１００    ネットワーク
【図１】
2005165866.tif 000003
【図２】
2005165866.tif 000004
【図３】
2005165866.tif 000005